(57)【要約】【課題】  タッチパネルの画面に表示された機能キーのタッチにより表示される操作ウィンドウを視認し易い表示装置を提供する。【解決手段】  操作ウィンドウ９の座標位置情報を算出する手段と、算出された操作ウィンドウ９の座標位置情報と機能キー８の座標位置情報との差情報を算出する手段と、算出された差情報が、ＲＯＭ３に記憶された基準値以上であるときは、機能キー８と操作ウィンドウ９との間に表示される中間ウィンドウ１５の座標位置情報を算出する手段と、ＲＯＭ３に機能キー８と対応付けて記憶された操作ウィンドウ９を画面５ａに中間ウィンドウ１５として一定時間表示する手段と、中間ウィンドウ１５の表示後又は表示中に操作ウィンドウ９を画面５ａに表示する手段とを備えた。【選択図】      図２ 
2005267143.tif 000002
【特許請求の範囲】
【請求項１】
タッチパネルの画面上でタッチした機能キーの座標位置情報及び記憶手段に記憶されたウィンドウ表示ルールに基づいて操作ウィンドウの座標位置情報を算出する手段と、前記算出された操作ウィンドウの座標位置情報と前記機能キーの座標位置情報との差情報を算出する手段と、前記算出された差情報が、記憶手段に記憶された基準値以上であるときは、前記機能キーの座標位置情報及び前記ウィンドウ表示ルールに基づいて、前記機能キーと前記操作ウィンドウとの間に表示される中間ウィンドウの座標位置情報を算出する手段と、記憶手段に前記機能キーと対応付けて記憶された操作ウィンドウを前記算出された中間ウィンドウの座標位置情報に基づいて前記画面に中間ウィンドウとして一定時間表示する手段と、前記中間ウィンドウの表示後又は表示中に前記記憶された操作ウィンドウを前記算出された操作ウィンドウの座標位置情報に基づいて前記画面に表示する手段とを備えたことを特徴とするタッチパネルによる表示装置。
【請求項２】
前記中間ウィンドウを表示する手段は、前記記憶された操作ウィンドウを前記算出された中間ウィンドウの座標位置情報に基づいて縮小化し、この縮小化された操作ウィンドウを前記中間ウィンドウとして表示する手段である請求項１記載のタッチパネルによる表示装置。
【請求項３】
前記差情報を算出する手段は、複数の差情報を算出する手段であり、
前記基準値を記憶する手段は、前記差情報と前記基準値とを対応付けて記憶する手段であると共に、
前記中間ウィンドウの座標位置情報を算出する手段は、前記算出された複数の差情報のうちのいずれかがそれに対応する基準値以上であれば、前記中間ウィンドウの座標位置情報を算出する手段である請求項１又は２記載のタッチパネルによる表示装置。
【発明の詳細な説明】
【技術分野】
【０００１】
本発明は、タッチパネルの画面上でタッチした機能キーに対応する操作ウィンドウを画面に表示する、タッチパネルによる表示装置に関するものである。
【背景技術】
【０００２】
従来のこの種の技術としては、画面に表示された給紙部選択アイコンを押下すると、給紙部を選択するためのサブウィンドウが開き、そのサブウィンドウ上で給紙部の選択が行えるように構成された画像形成装置等が知られている（例えば、特許文献１参照。）。
【特許文献１】特開２００２−３３３７９５公報（第１０頁，図９，図１０等）
【発明の開示】
【発明が解決しようとする課題】
【０００３】
しかしながら、上記のような画像形成装置ではサブウィンドウが画面に単に表示されるだけであるので、サブウィンドウが給紙部選択アイコンからある程度離れた位置に表示される場合は、オペレータの視線が給紙部選択アイコンからサブウィンドウまで移行しにくく、オペレータがサブウィンドウを視認しにくいという問題点がある。
【０００４】
本発明は、以上のような問題点に鑑みてなされたものであり、タッチパネルの画面に表示された機能キーのタッチにより表示される操作ウィンドウを視認し易い表示装置を提供することを目的とする。
【課題を解決するための手段】
【０００５】
上記目的を達成するための請求項１の発明は、タッチパネルの画面上でタッチした機能キーの座標位置情報及び記憶手段に記憶されたウィンドウ表示ルールに基づいて操作ウィンドウの座標位置情報を算出する手段と、前記算出された操作ウィンドウの座標位置情報と前記機能キーの座標位置情報との差情報を算出する手段と、前記算出された差情報が、記憶手段に記憶された基準値以上であるときは、前記機能キーの座標位置情報及び前記ウィンドウ表示ルールに基づいて、前記機能キーと前記操作ウィンドウとの間に表示される中間ウィンドウの座標位置情報を算出する手段と、記憶手段に前記機能キーと対応付けて記憶された操作ウィンドウを前記算出された中間ウィンドウの座標位置情報に基づいて前記画面に中間ウィンドウとして一定時間表示する手段と、前記中間ウィンドウの表示後又は表示中に前記記憶された操作ウィンドウを前記算出された操作ウィンドウの座標位置情報に基づいて前記画面に表示する手段と、を備えたものである。
【０００６】
請求項２の発明においては、前記中間ウィンドウを表示する手段は、前記記憶された操作ウィンドウを前記算出された中間ウィンドウの座標位置情報に基づいて縮小化し、この縮小化された操作ウィンドウを前記中間ウィンドウとして表示する手段である。
【０００７】
請求項３の発明においては、前記差情報を算出する手段は、複数の差情報を算出する手段であり、前記基準値を記憶する手段は、前記差情報と前記基準値とを対応付けて記憶する手段であると共に、前記中間ウィンドウの座標位置情報を算出する手段は、前記算出された複数の差情報のうちのいずれかがそれに対応する基準値以上であれば、前記中間ウィンドウの座標位置情報を算出する手段である。
【発明の効果】
【０００８】
請求項１の発明によれば、操作ウィンドウが機能キーからある程度離れた位置に表示される場合であっても、機能キーと操作ウィンドウとの間に中間ウィンドウが表示され、オペレータの視線が機能キーから操作ウィンドウまで移行し易くなっているので、オペレータが操作ウィンドウを視認し易い。
【０００９】
請求項２の発明によれば、表示の順にウィンドウのサイズが大きくなるように視認されるので、操作ウィンドウの表示時の体感速度をより大きくすることができる。
【００１０】
請求項３の発明によれば、中間ウィンドウの表示条件をより細かく設定することができる。
【発明を実施するための最良の形態】
【００１１】
以下、本発明の実施形態を図面に基づいて説明する。
実施形態に係る表示装置１は、図１に示すように、ＣＰＵ（Central Processing Unit，中央処理装置）２、ＲＯＭ（Read Only Memory，読み出し専用メモリ）（記憶手段）３、ＲＡＭ（Random Access Memory，随時書き込み読み出しメモリ）４、タッチパネル５、計時部６等を備えており、各部２〜６等はバス７を介して互いに通信可能に接続されている。
【００１２】
このような表示装置１としては、コピー機能、ＦＡＸ通信機能、ＰＣ−ＦＡＸ通信機能（パーソナルコンピュータ等のクライアント端末からのネットワークを介したダイレクトＦＡＸ通信機能）、インターネットＦＡＸ通信機能〔インターネットを利用したＦＡＸ通信機能，ＴＩＦＦ（Tagged Image File Format）形式又はＰＤＦ（Portable Document Format）形式等に変換した画データを電子メールに添付して通信する機能〕、ネットワークプリンタ機能（クライアント端末からのネットワークを介したダイレクト印刷機能）、及びネットワークスキャナ機能（クライアント端末へのネットワークを介したダイレクトスキャン機能）等を有するデジタル複合機等が挙げられる。
【００１３】
ＲＯＭ３は、ＣＰＵ２により各部３〜６等の動作を制御するための各種制御プログラム、図２のような機能キー８の座標位置情報、機能キー８と対応付けられた図３のような操作ウィンドウ９、後述するウィンドウ表示ルール、及び操作ウィンドウ９の座標位置情報と機能キー８の座標位置情報との差情報と対応付けられた基準値等を記憶した記憶部として機能する。なお、これら操作ウィンドウ９等を記憶する記憶手段はＲＯＭ３に限定されるものではなく、ＨＤＤ（Hard Disk Drive）、光磁気ディスク（Magneto Optical Disk）ドライブ、ＤＶＤ（Digital Versatile Disk）−ＲＡＭドライブ等であってもよい。
【００１４】
機能キー８としては、「リダイヤル」の他、「画質」、「濃度」、「オフフック」、「短縮送信」、「応用機能」、「用紙」、「拡大／縮小」、「ソート」等が挙げられる。操作ウィンドウ９は、機能キー８のタッチ後における次の操作が可能なウィンドウであり、図３に示すように、スタートキー１０や中止キー１１等の機能キー、「送信」等の機能名１２、「スタートキーをどうぞ」等のガイドメッセージ１３、「０７５ＸＸＸＸＸＸＸ」等のリダイヤルするファクス番号１４等が追加された四角形状のウィンドウで構成することができる。
【００１５】
機能キー８の座標位置情報としては、図２に示すように、タッチパネル５の画面５ａの例えば左上に位置する基点Ｏの座標位置（０，０）を基準（各画素を１単位，基点Ｏから右横方向をＸ＞０，基点Ｏから下方向をＹ＞０）とした機能キー８の左上点Ｌ０の座標位置（ＸL0，ＹL0）、右下点Ｒ０の座標位置（ＸR0，ＹR0）等が挙げられる。機能キー８は、上記の座標位置情報に基づいてタッチパネル５の画面５ａに表示される。また、この機能キー８は、「リダイヤル」等の機能名１２が追加された四角形状のアイコンで構成することができる。なお、画面５ａの画素数は特に限定されるものではないが、例えば３２０ドット（Ｘ方向）×２４０ドット（Ｙ方向）＝７６８００ドット等とすることができる。また、機能キー８や操作ウィンドウ９の構成も特に限定されるものではなく、適宜変更可能である。
【００１６】
ＣＰＵ２は、ＲＯＭ３からＲＡＭ４上に読み出した制御プログラム等に従って各部３〜６等の動作を制御する制御部として機能する。ＲＡＭ４は、ＣＰＵ２によりＲＯＭ３から読み出される制御プログラムや各種のデータ等を一時的に記憶する主記憶部として機能する。
【００１７】
タッチパネル５は、ＬＣＤ（Liquid Crystal Display，液晶ディスプレイ）等のディスプレイの画面５ａ全体をカバーするように物体検出センサを取り付けたものであり、画面５ａをオペレータの指等でタッチする（触れる）ことによって画面５ａのどこを指し示したかを検出できるようになっている。検出方法としては、透明電極を用いた圧力検出型、赤外線センサを用いた光学式非接触型等が挙げられる。表示装置１に対するオペレータによる各種操作は、タッチパネル５や、ハードキーを有する操作部（図示せず）を通じて行われる。計時部６は、図４のような中間ウィンドウ１５の表示時間を計測する。
【００１８】
次に、操作ウィンドウ９の表示処理の手順例を図５及び図６に示すフローチャートに基づいて説明する。なお、この処理は、ＲＯＭ３からＲＡＭ４上に読み出された制御プログラム等に基づいてＣＰＵ２が発行する命令に従って行われる。
【００１９】
この処理において、図２のようにタッチパネル５の画面５ａに表示された機能キー８をオペレータの指等でタッチすれば（ステップＳ１でＹＥＳ）、ＲＯＭ３に記憶された機能キー８の座標位置情報及びウィンドウ表示ルールに基づいて、表示すべき操作ウィンドウ９の座標位置情報が算出される（ステップＳ２）。機能キー８をタッチしていないときは（ステップＳ１でＮＯ）、ステップＳ１に戻る。操作ウィンドウ９の座標位置情報としては、左上点ＬＮの座標位置（ＸLN，ＹLN）、右下点ＲＮの座標位置（ＸRN，ＹRN）等が挙げられる。
【００２０】
そして、機能キー８の座標位置情報及び算出された操作ウィンドウ９の座標位置情報に基づいて、機能キー８の左上点Ｌ０と操作ウィンドウ９の左上点ＬＮとの間のＸ方向の距離（差情報）ＧX1及び機能キー８の右下点Ｒ０と操作ウィンドウ９の右下点ＲＮとの間のＹ方向の距離（差情報）ＧY2が算出される（ステップＳ３）。差情報は特に限定されるものではなく、機能キー８の左上点Ｌ０と操作ウィンドウ９の左上点ＬＮとの間のＹ方向の距離ＧY1や直線距離ＧN1、機能キー８の右下点Ｒ０と操作ウィンドウ９の右下点ＲＮとの間のＸ方向の距離ＧX2や直線距離ＧN2等であってもよい。差情報と基準値とを対応付けた基準値テーブルは、ＲＯＭ３に記憶されている。本実施形態においては、前記距離ＧX1に第１基準画素数（基準値）が対応しており、前記距離ＧY2に第２基準画素数（基準値）が対応している。
【００２１】
次いで、前記距離ＧX1が第１基準画素数未満でありかつ前記距離ＧY2が第２基準画素数未満であるときは（ステップＳ４でＮＯ）、図３に示すように、機能キー８に対応する操作ウィンドウ９が、算出された操作ウィンドウ９の座標位置情報に基づいて画面５ａに表示され（ステップＳ５）、処理が終了する。
【００２２】
前記距離ＧX1が第１基準画素数以上であるか又は前記距離ＧY2が第２基準画素数以上であるときは（ステップＳ４でＹＥＳ）、機能キー８の座標位置情報及びウィンドウ表示ルールに基づいて、表示すべき中間ウィンドウ１５の座標位置情報が算出される（ステップＳ６）。中間ウィンドウ１５の座標位置情報としては、図２及び図４に示すように、左上点Ｌ１の座標位置（ＸL1，ＹL1）、右下点Ｒ１の座標位置（ＸR1，ＹR1）等が挙げられる。
【００２３】
そして、タッチした機能キー８に対応する操作ウィンドウ９が、算出された中間ウィンドウ１５の座標位置情報に基づいて縮小化され（ステップＳ７）、縮小化された操作ウィンドウ９は、図４に示すように、算出された中間ウィンドウ１５の座標位置情報に基づいて画面５ａに中間ウィンドウ１５として表示される（ステップＳ８）。中間ウィンドウ１５は、図２に示すように、機能キー８と操作ウィンドウ９との間に表示される。
【００２４】
次いで、中間ウィンドウ１５を表示してから一定時間経過していれば（ステップＳ９でＹＥＳ）中間ウィンドウ１５の表示が中止され（ステップＳ１０）、ステップＳ５に進むが、一定時間経過していなければ（ステップＳ９でＮＯ）ステップＳ９に戻る。
【００２５】
なお、操作ウィンドウ９は、図７及び図８に示すように、中間ウィンドウ１５の表示後でなく、中間ウィンドウ１５の表示中に表示されるように構成することもできる。この場合、ステップＳ８の後、機能キー８に対応する操作ウィンドウ９が、算出された操作ウィンドウ９の座標位置情報に基づいて画面５ａに表示される（ステップＳ５）。そして、中間ウィンドウ１５を表示してから一定時間経過していれば（ステップＳ９でＹＥＳ）中間ウィンドウ１５の表示が中止され（ステップＳ１０）、処理が終了するが、一定時間経過していなければ（ステップＳ９でＮＯ）ステップＳ９に戻る。
【００２６】
上記のように構成された表示装置１によれば、操作ウィンドウ９が機能キー８からある程度離れた位置に表示される場合であっても、機能キー８と操作ウィンドウ９との間に中間ウィンドウ１５が表示され、オペレータの視線が機能キー８から操作ウィンドウ９まで移行し易くなっているので、オペレータが操作ウィンドウ９を視認し易いという利点がある。
【００２７】
ここで、本実施形態のように、ＲＯＭ３に記憶された操作ウィンドウ９を、算出された中間ウィンドウ１５の座標位置情報に基づいて縮小化し、この縮小化された操作ウィンドウ９を中間ウィンドウ１５として表示するように構成しておけば、表示の順にウィンドウのサイズが大きくなるように視認されるので、操作ウィンドウ９の表示時の体感速度をより大きくできるという利点がある。
【００２８】
なお、中間ウィンドウ１５は、上記と同様の処理を繰り返すことにより複数個が表示されるように構成してもよい。この場合、複数の中間ウィンドウ１５が、機能キー８から操作ウィンドウ９に向かって位置をずらしながら一定時間ずつ順に表示されるように構成しておけばよい。また、後に表示される中間ウィンドウ１５ほどサイズが大きくなるように構成しておけば、操作ウィンドウ９の表示時の体感速度をより大きくすることができる。
【００２９】
更に、本実施形態のように、複数の差情報（前記距離ＧX1、前記距離ＧY2等）を算出し、差情報と基準値とを対応付けて記憶し、算出された複数の差情報のうちのいずれかがそれに対応する基準値以上であれば、中間ウィンドウ１５の座標位置情報を算出するように構成しておけば、中間ウィンドウ１５の表示条件をより細かく設定できるという利点がある。
【産業上の利用可能性】
【００３０】
以上のように、本発明に係るタッチパネルによる表示装置は、タッチパネルの画面に表示された機能キーのタッチにより表示される操作ウィンドウを視認し易くするのに適している。
【図面の簡単な説明】
【００３１】
【図１】実施形態に係る表示装置の構成例を示すブロック図。
【図２】タッチパネルの画面に機能キーを表示した例を示す説明図。
【図３】タッチパネルの画面に操作ウィンドウを表示した例を示す説明図。
【図４】タッチパネルの画面に中間ウィンドウを表示した例を示す説明図。
【図５】操作ウィンドウの表示処理における手順例の一部を示すフローチャート。
【図６】操作ウィンドウの表示処理における手順例の一部を示すフローチャート。
【図７】中間ウィンドウの表示中に操作ウィンドウを表示した例を示す説明図。
【図８】操作ウィンドウの表示処理における他の手順例の一部を示すフローチャート。
【符号の説明】
【００３２】
１  表示装置
２  ＣＰＵ
３  ＲＯＭ（記憶手段）
５  タッチパネル
５ａ  画面
６  計時部
８  機能キー
９  操作ウィンドウ
１５  中間ウィンドウ
【図１】
2005267143.tif 000003
【図２】
2005267143.tif 000004
【図３】
2005267143.tif 000005
【図４】
2005267143.tif 000006
【図５】
2005267143.tif 000007
【図６】
2005267143.tif 000008
【図７】
2005267143.tif 000009
【図８】
2005267143.tif 000010